(57)【要約】      （修正有）【課題】表示部の大型化が可能なカメラを提供する。【解決手段】本発明のカメラ（１）は、撮影時の被写体像を確認可能な接眼部（６ｃ）と、撮影後の被写体像及び機能設定画面を表示可能であるとともに、赤外光を発光可能な赤外光発光部を有する表示部（８）と、前記赤外光発光部から発光された赤外光を受光する受光部（９）と、を備えることを特徴とする。【選択図】図１
2010085898.tif 000002
【特許請求の範囲】
【請求項１】
撮影時の被写体像を確認可能な接眼部と、
撮影後の被写体像及び機能設定画面を表示可能であるとともに、赤外光を発光可能な赤外光発光部を有する表示部と、
前記赤外光発光部から発光された赤外光を受光する受光部と、を備えること、
を特徴とするカメラ。
【請求項２】
請求項１に記載のカメラであって、
前記受光部が、前記表示部と前記接眼部との間に配置されていること、
を特徴とするカメラ。
【請求項３】
請求項１に記載のカメラであって、
前記受光部が、前記表示部内に配置されていること、
を特徴とするカメラ。
【請求項４】
請求項３に記載のカメラであって、
前記表示部が、白色発光ダイオードを光源とするバックライトを有し、前記赤外光発光部が前記白色発光ダイオードと並列に配置された赤外線発光ダイオードであること、
を特徴とするカメラ。
【発明の詳細な説明】
【技術分野】
【０００１】
本発明は、背面に表示部を備えるカメラに関するものである。
【背景技術】
【０００２】
一眼レフカメラにおいて、撮影者がファインダを覗く際に、カメラの背面に設けられた液晶等の表示部が点灯していると、不必要な電力を消費する。また、暗所撮影の場合は、表示部からの光による幻惑等も存在する。このため、従来、表示部の周囲に投光部と受光部を設け、撮影者の顔等がカメラに近づいた場合、投光部の光を顔等に反射させ、その反射光を受光部で受光し、この受光が検知されたときに表示部を消灯させるカメラが存在する（例えば、特許文献１参照）。
【特許文献１】特開平９−３３１４７２号公報
【発明の開示】
【発明が解決しようとする課題】
【０００３】
しかし、近年、カメラの表示部の大型化が望まれる。従来のように、表示部の周囲に投光部と受光部とを設ける構成では、表示部の大型化の妨げとなる。
【０００４】
本発明の課題は、表示部の大型化が可能なカメラを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、撮影時の被写体像を確認可能な接眼部（６ｃ）と、撮影後の被写体像及び機能設定画面を表示可能であるとともに、赤外光を発光可能な赤外光発光部（２０）を有する表示部（８）と、前記赤外光発光部（２０）から発光された赤外光を受光する受光部（９）と、を備えること、を特徴とするカメラ（１）である。
請求項２に記載の発明は、請求項１に記載のカメラ（１）であって、前記受光部（９）が、前記表示部（８）と前記接眼部（６ｃ）との間に配置されていること、を特徴とするカメラ（１）である。
請求項３に記載の発明は、請求項１に記載のカメラ（１）であって、前記受光部（９）が、前記表示部（８）内に配置されていること、を特徴とするカメラ（１）である。
請求項４に記載の発明は、請求項３に記載のカメラ（１）であって、前記表示部（８）が、白色発光ダイオード（１５）を光源とするバックライト（１３）を有し、前記赤外光発光部が前記白色発光ダイオードと並列に配置された赤外線発光ダイオード（２０）であること、を特徴とするカメラ（１）である。
なお、符号を付して説明した構成は、適宜改良してもよく、また、少なくとも一部を他の構成物に代替してもよい。
【発明の効果】
【０００７】
本発明によれば、表示部の大型化が可能なカメラを提供することができる。
【発明を実施するための最良の形態】
【０００８】
以下、図面等を参照して、本発明の一実施形態について説明する。図１は、本実施形態のカメラ１の構成を示すブロック図であり、図２はカメラ１の背面図である。なお、本実施形態では、一眼レフカメラについて説明するが、本発明はこれに限定されず、ビデオカメラやカメラ付き携帯電話にも適用される。
【０００９】
カメラ１は、図１に示すように、筐体２、撮影光学系３、撮像部４、ミラー５、ファインダ光学系６、シャッタボタン７、表示部８、受光部９、及び、制御部１０を備える。
【００１０】
筐体２は、カメラ１の外観面を形成する部分であり、図２に示すように、例えば、略直方体の箱形に形成されている。撮影光学系３は、例えば、複数の撮影レンズ群によって形成されており、これらの撮影レンズ群を通過した被写体光が後述する撮像部４の撮像面に結像される。撮像部４は、筐体２の内部であって、撮影光学系３の出射側に設けられている。本実施形態のカメラ１は、被写体光を電気信号に変換する光−電気変換素子（例えば、ＣＣＤやＣＭＯＳ等）を撮像部４として用いる。
【００１１】
ミラー５は、撮影光学系３と撮像部４との間に設けられている。ミラー５は、後述するシャッタボタン７の全押し操作に応じて、被写体光を後述するファインダ光学系６に反射する反射位置（図１中実線で示す位置）から、被写体光の光路から退避した退避位置（図１中破線で示す位置）へ移動するようになっている。
【００１２】
ファインダ光学系６は、撮影者がフレーミング時（構図決定時）に被写体像を観察する部分であり、反射位置のミラー５によって反射された被写体光を結像するスクリーン６ａと、スクリーン６ａに結像された被写体像を正立像にして後述する接眼部６ｃに導くプリズム６ｂと、フレーミング時に撮影者が眼を接近させる接眼部６ｃとを備えている。接眼部６ｃは、図２に示すように筐体２の背面部の上部に設けられている。
【００１３】
シャッタボタン７は、撮影者がカメラ１に対して撮影指示を行う際に操作する押しボタンスイッチである。表示部８は、図２に示すように、カメラ１の背面部における接眼部６ｃの下方に設けられている。表示部８は、撮影済みの画像や、撮影条件等の設定を行うメニュー画面を表示するとともに、後述するように赤外線を発光する発光部としても機能する。
【００１４】
受光部９は、表示部８から発光されかつ検出対象物によって反射された赤外光の反射光を受光するようになっている。受光部９は、筐体内部に設けられた受光素子とその外側をカバーする赤外線透過フィルタとを備える（ともに図示せず）。受光部９は、その赤外透過フィルタにより、赤外線以外の光を排除して赤外線のみを受光するようになっている。制御部１０は、カメラに含まれる電気要素を統括的に制御する部分であり、例えば、ＣＰＵ等の演算装置を備えている。
【００１５】
次に、表示部８について詳述する。図３（ａ）は、表示部８の断面図である。表示部８は、ＴＦＴ（薄膜トランジスタ）液晶表示パネル１１及びその保護カバー１２と、液晶表示パネル１１の後方に配置されたバックライト１３とを備える。バックライト１３は、エッジライト型バックライトであり、矩形平板状の導光板１４と、導光板１４の側部に配置された白色ＬＥＤ１５を備える。導光板１４は、アクリル樹脂等の光透過性材料により形成され、その裏面には溝１６が形成されている。
【００１６】
白色ＬＥＤ１５から発せられた光は、導光板１４にその側部から入射する。導光板１４に入射した光は、表面反射を繰り返して導光板１４内を広がり、溝１６に反射されて導光板１４の表面側から出射し、導光板１４全体が均一に光り、液晶表示パネル１１を照明するようになっている。
【００１７】
図３（ｂ）は、バックライト１３の平面図である。図示するように、導光板１４の側面には、上述の白色ＬＥＤ１５が４つ並んでいる。そして、その白色ＬＥＤ１５の間には、３つの赤外線ＬＥＤ２０が配置されている。この赤外線ＬＥＤ２０より発せられた赤外光も、白色ＬＥＤ１５から発せられた光と同様に、導光板１４に入射し、表面反射を繰り返して導光板１４内を広がり、導光板１４の表面側から出射する。
【００１８】
次に、本実施形態のカメラ１の動作について説明する。表示部８に撮影画像が表示され、またはメニュー画面が表示されている状態、すなわち白色ＬＥＤ１５が点灯している状態においては、赤外線ＬＥＤ２０も点灯し、赤外線ＬＥＤ２０からは赤外線が発せられている。ここで、この赤外線は、所定間隔のパルス状に発信されている。
【００１９】
この状態で、撮影者が接眼部６ｃを覗くために顔をカメラ１に近づけると、赤外線ＬＥＤ２０から発光された赤外光は、撮影者の顔で反射される。反射された赤外線は、受光部９により受光される。このとき、自然光等も受光部９に照射されているが、受光部９の受光素子は、赤外線透過フィルタで覆われているため、赤外線のみが受光される。受光部９は、赤外線を受光すると制御部１０に対してこの旨の信号を発信する。制御部１０は、受光した赤外線がパルス状である場合、赤外線ＬＥＤ２０から発光されて撮影者の顔等により反射された光であると判断する。そして発光パルスと受光パルスとのタイムラグにより、撮影者の顔等とカメラ１との間の距離を求める。タイムラグが短くなり、撮影者部の顔等とカメラ１との間の距離が所定の距離より近くなったと判断すると、制御部１０は、表示部８の消灯制御を行う。
【００２０】
なお、表示部８が消灯してもカメラ１が撮影待機の状態の場合、赤外線ＬＥＤ２０は点灯している。そして、撮影者が接眼部６ｃから顔を遠ざけ、一定の距離より離れると、制御部１０は再度、表示部８を点灯させる。
【００２１】
以上説明した実施形態のカメラによれば、以下の効果を得ることができる。
（１）本実施形態のカメラ１は、撮影時の被写体像を確認可能な接眼部６ｃと、撮影後の被写体像及び機能設定画面を表示可能であるとともに、赤外光を発光可能な赤外線ＬＥＤ２０を有する表示部８と、赤外線ＬＥＤ２０から発光された赤外光を受光する受光部９と、を備える。カメラ１に撮影者の顔等が近接した場合、赤外線ＬＥＤ２０から発せられた赤外線がその顔等により反射され、受光部９がその反射光を受光する。これにより顔等の近接を検知することができる。
【００２２】
（２）撮影者がフレーミング時に接眼部６ｃに顔を接近させて被写体像を観察する際、仮に表示部８に撮影済み画像やメニュー画面等が表示されていると、これらの表示画像によって撮影者が眩しさを感じる可能性がある。しかし、本実施形態のカメラ１は、撮影者が接眼部６ｃに顔を接近させ、一定の距離より近づくと、表示部８が自動的に消灯する。従って、快適に撮影を行うことができるとともに、電力消費を抑制することができる。
【００２３】
（３）赤外線ＬＥＤ２０が、表示部８のバックライト１３内に配置されているので、表示部８の外に赤外線ＬＥＤを設ける必要がなく、カメラ１の背面のスペース効率を向上することができ、表示部８を大型化又はカメラ１を小型化することができる。
【００２４】
（４）受光部９が表示部８と接眼部６ｃとの間に配置されているため、表示部８に設けられた赤外線ＬＥＤ２０から発せられた赤外線を効率よく受光することができる。
【００２５】
（変形形態）
本発明は、以上説明した実施形態に限定されることなく、種々の変形や変更が可能であって、それらも本発明の技術的範囲内である。
（１）受光部における受光素子を、下向きに（表示部８側に傾けて）配置してもよい。このように配置することにより、赤外線ＬＥＤから照射されて撮影者の顔等で反射された赤外線を受光しやすくなる。
（２）赤外線ＬＥＤを白色ＬＥＤと並列に配置せず、逆側に配置してもよい。このように配置することにより、より多くの赤外線ＬＥＤを配置することができる。
（３）本実施形態では、受光部９を、表示部８と接眼部６ｃとの間に配置したが、本発明はこれに限定されず、受光部９を接眼部の上側（表示部から離れる側）に配置することもできる。このようにすることにより、表示部のさらなる大型化が可能となる。
（４）本実施形態では、受光部９を表示部８と接眼部６ｃとの間に配置したが、本発明はこれに限定されず、受光部も赤外線ＬＥＤとともに表示部の内部に配置することもできる。このようにすることにより、表示部のさらなる大型化が可能となる。
（５）本実施形態では、光源としてＬＥＤを用いたが、本発明はこれに限定されず、有機ＥＬ（エレクトロルミネッセンス）を用いてもよい。
（６）本実施形態では、エッジライト型バックライトについて説明したが、本発明はこれに限定されず、直下型方式のバックライトに対しても適用できる。また、導光板に溝が設けられている形態について説明したが、これに限定されず、反射ドットを印刷する印刷方式や、ドット状の粘着材を用いた粘着ドット方式を採用してもよい。
（７）本実施形態では、バックライトとして白色ＬＥＤを用いた。しかし、本発明はこれに限らず、３原色のＬＥＤを使用してもよい。また、冷陰極管を用いてもよい。（８）本実施形態では、赤外線を発生させるために赤外線ＬＥＤを使用したが、これに限定されず、赤外線を発生させるものであれば、ＬＥＤ以外のものであってもよい。
なお、実施形態及び変形形態は、適宜組み合わせて用いることもできるが、詳細な説明は省略する。また、本発明は以上説明した実施形態によって限定されることはない。
【図面の簡単な説明】
【００２６】
【図１】実施形態のカメラの構成を示すブロック図である。
【図２】カメラの背面図である。
【図３】（ａ）は表示部の断面図であり、（ｂ）はバックライトの平面図である。
【符号の説明】
【００２７】
１：カメラ、６ｃ：接眼部、８：表示部、９：受光部、１３：バックライト、１５：白色ＬＥＤ、２０：赤外線ＬＥＤ
【図１】
2010085898.tif 000003
【図２】
2010085898.tif 000004
【図３】
2010085898.tif 000005